Podtech/llm-jp-corpus-v4-ja_patent huggingface dataset:
【手続補正書】
【提出日】平成16年1月27日(2004.1.27)
【手続補正１】
【補正対象書類名】明細書
【補正対象項目名】発明の名称
【補正方法】変更
【補正の内容】
【発明の名称】サイクリックＡＭＰホスホジエステラーゼ阻害剤、並びに、化粧品及び飲食品


【手続補正２】
【補正対象書類名】明細書
【補正対象項目名】特許請求の範囲
【補正方法】変更
【補正の内容】
【特許請求の範囲】
【請求項１】
ヒマラヤユキノシタ属植物から抽出されるサイクリックＡＭＰホスホジエステラーゼ阻害物質を含むことを特徴とするサイクリックＡＭＰホスホジエステラーゼ阻害剤。
【請求項２】
ヒマラヤユキノシタ属植物が、ベルゲニア・クラッシフォリア（Ｂｅｒｇｅｎｉａ  ｃｒａｓｓｉｆｏｌｉａ）、ベルゲニア・パープラセンス（Ｂｅｒｇｅｎｉａ  ｐｕｒｐｕｒａｓｃｅｎｓ）、ベルゲニア・シリアータ（Ｂｅｒｇｅｎｉａ  ｃｉｌｉａｔａ）、ベルゲニア・コルディフォリア（Ｂｅｒｇｅｎｉａ  ｃｏｒｄｉｆｏｌｉａ）及びベルゲニア・リグラータ（Ｂｅｒｇｅｎｉａ  ｌｉｇｕｌａｔａ）から選択される少なくとも１種である請求項１に記載のサイクリックＡＭＰホスホジエステラーゼ阻害剤。
【請求項３】
サイクリックＡＭＰホスホジエステラーゼ阻害物質が、水、親水性有機溶媒及びこれらの混合物から選択されるいずれかの溶媒により抽出されたものである請求項１から２のいずれかに記載のサイクリックＡＭＰホスホジエステラーゼ阻害剤。
【請求項４】
血小板凝集抑制作用を有する請求項１から３のいずれかに記載のサイクリックＡＭＰホスホジエステラーゼ阻害剤。
【請求項５】
ヒマラヤユキノシタ属植物から抽出されるサイクリックＡＭＰホスホジエステラーゼ阻害物質を含むことを特徴とする化粧品。
【請求項６】
ヒマラヤユキノシタ属植物が、ベルゲニア・クラッシフォリア（Ｂｅｒｇｅｎｉａ  ｃｒａｓｓｉｆｏｌｉａ）、ベルゲニア・パープラセンス（Ｂｅｒｇｅｎｉａ  ｐｕｒｐｕｒａｓｃｅｎｓ）、ベルゲニア・シリアータ（Ｂｅｒｇｅｎｉａ  ｃｉｌｉａｔａ）、ベルゲニア・コルディフォリア（Ｂｅｒｇｅｎｉａ  ｃｏｒｄｉｆｏｌｉａ）及びベルゲニア・リグラータ（Ｂｅｒｇｅｎｉａ  ｌｉｇｕｌａｔａ）から選択される少なくとも１種である請求項５に記載の化粧品。
【請求項７】
ヒマラヤユキノシタ属植物から抽出されるサイクリックＡＭＰホスホジエステラーゼ阻害物質を含むことを特徴とする飲食品。
【請求項８】
ヒマラヤユキノシタ属植物が、ベルゲニア・クラッシフォリア（Ｂｅｒｇｅｎｉａ  ｃｒａｓｓｉｆｏｌｉａ）、ベルゲニア・パープラセンス（Ｂｅｒｇｅｎｉａ  ｐｕｒｐｕｒａｓｃｅｎｓ）、ベルゲニア・シリアータ（Ｂｅｒｇｅｎｉａ  ｃｉｌｉａｔａ）、ベルゲニア・コルディフォリア（Ｂｅｒｇｅｎｉａ  ｃｏｒｄｉｆｏｌｉａ）及びベルゲニア・リグラータ（Ｂｅｒｇｅｎｉａ  ｌｉｇｕｌａｔａ）から選択される少なくとも１種である請求項７に記載の飲食品。
【手続補正３】
【補正対象書類名】明細書
【補正対象項目名】０００９
【補正方法】変更
【補正の内容】
【０００９】
【課題を解決するための手段】
前記課題を解決するための手段としては、以下の通りである。
＜１＞  ヒマラヤユキノシタ属植物から抽出されるサイクリックＡＭＰホスホジエステラーゼ阻害物質を含むことを特徴とするサイクリックＡＭＰホスホジエステラーゼ阻害剤である。
＜２＞  ヒマラヤユキノシタ属植物が、ベルゲニア・クラッシフォリア（Ｂｅｒｇｅｎｉａ  ｃｒａｓｓｉｆｏｌｉａ）、ベルゲニア・パープラセンス（Ｂｅｒｇｅｎｉａ  ｐｕｒｐｕｒａｓｃｅｎｓ）、ベルゲニア・シリアータ（Ｂｅｒｇｅｎｉａ  ｃｉｌｉａｔａ）、ベルゲニア・コルディフォリア（Ｂｅｒｇｅｎｉａ  ｃｏｒｄｉｆｏｌｉａ）及びベルゲニア・リグラータ（Ｂｅｒｇｅｎｉａ  ｌｉｇｕｌａｔａ）から選択される少なくとも１種である前記＜１＞に記載のサイクリックＡＭＰホスホジエステラーゼ阻害剤である。
＜３＞  サイクリックＡＭＰホスホジエステラーゼ阻害物質が、水、親水性有機溶媒及びこれらの混合物から選択されるいずれかの溶媒により抽出されたものである前記＜１＞から＜２＞のいずれかに記載のサイクリックＡＭＰホスホジエステラーゼ阻害剤である。
＜４＞  血小板凝集抑制作用を有する前記＜１＞から＜３＞のいずれかに記載のサイクリックＡＭＰホスホジエステラーゼ阻害剤である。
＜５＞  ヒマラヤユキノシタ属植物から抽出されるサイクリックＡＭＰホスホジエステラーゼ阻害物質を含むことを特徴とする化粧品である。
＜６＞  ヒマラヤユキノシタ属植物が、ベルゲニア・クラッシフォリア（Ｂｅｒｇｅｎｉａ  ｃｒａｓｓｉｆｏｌｉａ）、ベルゲニア・パープラセンス（Ｂｅｒｇｅｎｉａ  ｐｕｒｐｕｒａｓｃｅｎｓ）、ベルゲニア・シリアータ（Ｂｅｒｇｅｎｉａ  ｃｉｌｉａｔａ）、ベルゲニア・コルディフォリア（Ｂｅｒｇｅｎｉａ  ｃｏｒｄｉｆｏｌｉａ）及びベルゲニア・リグラータ（Ｂｅｒｇｅｎｉａ  ｌｉｇｕｌａｔａ）から選択される少なくとも１種である前記＜５＞に記載の化粧品である。
＜７＞  ヒマラヤユキノシタ属植物から抽出されるサイクリックＡＭＰホスホジエステラーゼ阻害物質を含むことを特徴とする飲食品である。
＜８＞  ヒマラヤユキノシタ属植物が、ベルゲニア・クラッシフォリア（Ｂｅｒｇｅｎｉａ  ｃｒａｓｓｉｆｏｌｉａ）、ベルゲニア・パープラセンス（Ｂｅｒｇｅｎｉａ  ｐｕｒｐｕｒａｓｃｅｎｓ）、ベルゲニア・シリアータ（Ｂｅｒｇｅｎｉａ  ｃｉｌｉａｔａ）、ベルゲニア・コルディフォリア（Ｂｅｒｇｅｎｉａ  ｃｏｒｄｉｆｏｌｉａ）及びベルゲニア・リグラータ（Ｂｅｒｇｅｎｉａ  ｌｉｇｕｌａｔａ）から選択される少なくとも１種である前記＜７＞に記載の飲食品である。


【手続補正４】
【補正対象書類名】明細書
【補正対象項目名】００１５
【補正方法】変更
【補正の内容】
【００１５】
サイクリックＡＭＰホスホジエステラーゼ阻害作用を有する抽出物は、同じヒマラヤユキノシタ属植物、例えば、ベルゲニア・シリアータ（Ｂｅｒｇｅｎｉａ  ｃｉｌｉａｔａ）、ベルゲニア・コルディフォリア（Ｂｅｒｇｅｎｉａ  ｃｏｒｄｉｆｏｌｉａ）、ベルゲニア・リグラータ（Ｂｅｒｇｅｎｉａ  ｌｉｇｕｌａｔａ）、等からも得られる。
【手続補正書】
【提出日】平成15年6月18日(2003.6.18)
【手続補正１】
【補正対象書類名】明細書
【補正対象項目名】特許請求の範囲
【補正方法】変更
【補正の内容】
【特許請求の範囲】
【請求項１】
ブロックされた水酸基とカルボン酸無水基とエポキシ基とを併有するビニル系重合体（Ａ）と、非プロトン性極性化合物とを含むことを特徴とする硬化性樹脂組成物。
【請求項２】
ブロックされた水酸基とカルボン酸無水基とを併有するビニル系重合体（Ｂ）と、エポキシ基を含有する化合物（Ｃ）と、非プロトン性極性化合物とを含むことを特徴とする硬化性樹脂組成物。
【請求項３】
ブロックされた水酸基とエポキシ基とを併有するビニル系重合体（Ｄ）と、カルボン酸無水基を含有する化合物（Ｅ）と、非プロトン性極性化合物とを含むことを特徴とする硬化性樹脂組成物。
【請求項４】
カルボン酸無水基とエポキシ基を併有するビニル系重合体（Ｆ）と、ブロックされた水酸基を含有するビニル系重合体（Ｇ）と、非プロトン性極性化合物とを含むことを特徴とする硬化性樹脂組成物。
【請求項５】
ブロックされた水酸基を含有するビニル系重合体（Ｇ）と、カルボン酸無水基を含有する化合物（Ｅ）と、エポキシ基を含有する化合物（Ｃ）と、非プロトン性極性化合物とを含むことを特徴とする硬化性樹脂組成物。
【請求項６】
エポキシ基を含有する化合物（Ｃ）が、ビニル系重合体である請求項２記載の硬化性樹脂組成物。
【請求項７】
カルボン酸無水基を含有する化合物（Ｅ）が、ビニル系重合体である請求項３記載の硬化性樹脂組成物。
【請求項８】
エポキシ基を含有する化合物（Ｃ）とカルボン酸無水基を含有する化合物（Ｅ）が、いずれもビニル系重合体である請求項５記載の硬化性樹脂組成物。
【請求項９】
ブロックされた水酸基が、シリル基によりブロックされた水酸基である請求項１〜８のいずれか１つに記載の硬化性樹脂組成物。
【請求項１０】
非プロトン性極性化合物が、Ｎ−メチルピロリドンまたはＮ，Ｎ−ジメチルホルムアミドである請求項１〜９のいずれか１つに記載の硬化性樹脂組成物。
【手続補正２】
【補正対象書類名】明細書
【補正対象項目名】００１１
【補正方法】変更
【補正の内容】
【００１１】
（５）  ブロックされた水酸基を含有するビニル系重合体（Ｇ）と、カルボン酸無水基を含有する化合物（Ｅ）と、エポキシ基を含有する化合物（Ｃ）と、非プロトン性極性化合物とを含むことを特徴とする硬化性樹脂組成物、
【手続補正書】
【提出日】平成15年12月26日(2003.12.26)
【手続補正１】
【補正対象書類名】明細書
【補正対象項目名】特許請求の範囲
【補正方法】変更
【補正の内容】
【特許請求の範囲】
【請求項１】
複数の撮像素子を有する光センサと、
撮影対象からの光を前記光センサに集光する集光レンズと、
前記光センサからの出力信号をデジタルデータに変換する変換手段と、
前記デジタルデータを画像データとして記憶可能な記憶手段と、
前記光センサ、変換手段および記憶手段の制御を行う制御装置と、
前記制御装置への指示を選択する操作ボタンと、
前記操作ボタンと同時に押すことにより前記操作ボタンによる前記制御装置への指示を変更する機能ボタンと、
を備えることを特徴とするデジタルカメラ。
【請求項２】
前記機能ボタンと前記操作ボタンの少なくとも１つとを同時に押すことにより、前記記憶手段から前記画像データを削除することを特徴とする請求項１に記載のデジタルカメラ。
【請求項３】
前記機能ボタンと前記操作ボタンの少なくとも１つとを同時に押すことにより、撮影時の露光を変更することを特徴とする請求項１に記載のデジタルカメラ。
【請求項４】
前記画像データに基づく画像を表示可能な表示手段を備えることを特徴とする請求項１〜３のいずれか一項に記載のデジタルカメラ。
【請求項５】
前記操作ボタンと前記機能ボタンは、前記表示手段を挟んで両側に配置されることを特徴とする請求項４に記載のデジタルカメラ。
【請求項６】
露光の変更度合いを表示する手段を備えることを特徴とする請求項３記載のデジタルカメラ。
【請求項７】
複数の撮像素子を有する光センサと、
撮影対象からの光を前記光センサに集光する集光レンズと、
前記光センサからの出力信号をデジタルデータに変換する変換手段と、
前記デジタルデータを画像データとして記憶可能な記憶手段と、
前記光センサ、変換手段および記憶手段の制御を行う制御装置と、
前記制御装置への指示を選択する第一の操作部材と、
前記第一の操作部材と同時に操作することにより前記第一の操作部材による前記制御装置への指示を変更する第二の操作部材と、
を備えることを特徴とするデジタルカメラ。
【請求項８】
複数の撮像素子を有する光センサと、
撮影対象からの光を前記光センサに集光する集光レンズと、
前記光センサからの出力信号をデジタルデータに変換する変換手段と、
前記デジタルデータを画像データとして記憶する記憶手段と、
前記記憶手段に記憶された画像データを表示する表示手段と、
前記表示手段に表示されている画像データの削除指示を受け付ける第一のボタンと、
前記削除指示が受け付けられた画像データの削除確認を受け付ける第二のボタンであって、前記第一のボタンと異なる第二のボタンと、
前記削除確認が受け付けられた画像データを前記記憶手段から削除する削除手段と、
を備えることを特徴とするデジタルカメラ。
【手続補正２】
【補正対象書類名】明細書
【補正対象項目名】００１４
【補正方法】変更
【補正の内容】
【００１４】
本発明の請求項６記載のデジタルカメラによれば、露光の変更度合いを表示する手段を備えるため、使用者が露光の変更度合いを確認することができる。
本発明の請求項７記載のデジタルカメラによれば、複数の撮像素子を有する光センサと、撮影対象からの光を前記光センサに集光する集光レンズと、前記光センサからの出力信号をデジタルデータに変換する変換手段と、前記デジタルデータを画像データとして記憶可能な記憶手段と、前記光センサ、変換手段および記憶手段の制御を行う制御装置と、前記制御装置への指示を選択する第一の操作部材と、前記第一の操作部材と同時に操作することにより前記第一の操作部材による前記制御装置への指示を変更する第二の操作部材と、を備える。
本発明の請求項８記載のデジタルカメラによれば、複数の撮像素子を有する光センサと、撮影対象からの光を前記光センサに集光する集光レンズと、前記光センサからの出力信号をデジタルデータに変換する変換手段と、前記デジタルデータを画像データとして記憶する記憶手段と、前記記憶手段に記憶された画像データを表示する表示手段と、前記表示手段に表示されている画像データの削除指示を受け付ける第一のボタンと、前記削除指示が受け付けられた画像データの削除確認を受け付ける第二のボタンであって、前記第一のボタンと異なる第二のボタンと、前記削除確認が受け付けられた画像データを前記記憶手段から削除する削除手段と、を備える。
【手続補正書】
【提出日】平成15年10月1日(2003.10.1)
【手続補正１】
【補正対象書類名】明細書
【補正対象項目名】請求項１
【補正方法】変更
【補正の内容】
【請求項１】
各コネクションの識別子情報および帯域情報の組を記録するコネクション情報保持手段と、
指定されたポリシに基づいて前記コネクション情報保持手段に記録されたコネクション情報の組を並べ替えるコネクション情報ソート手段と、
スケジューリングテーブル上のタイムスロット毎に配置され当該タイムスロットに割当てられたコネクションを識別するコネクション識別手段と、
各タイムスロットに配置するコネクションのコネクション識別手段をタイムスロット毎にリスト状に接続して管理する手段と、
各コネクションが要求するセル出力タイミングの予約を受け付けて前記コネクション識別手段を配置するタイムスロット管理手段と、
このタイムスロット管理手段に対して各コネクションの先頭のタイムスロットおよびこの先頭のタイムスロットを起点とした各コネクションの理想的なタイムスロット配置を予約する手段と、
スケジューリングテーブル上の１つのタイムスロットに対して複数のコネクションが前記コネクション識別手段を重複して予約配置したときにこれを異なるタイムスロットに分散させる手段と
を含むスケジューリング手段を備え、
このスケジューリング手段のスケジューリング結果にしたがってセルを読出す手段を備えた
ことを特徴とするセル読出スケジューリング装置。
【手続補正２】
【補正対象書類名】明細書
【補正対象項目名】００１３
【補正方法】変更
【補正の内容】
【００１３】
【課題を解決するための手段】
本発明の第一の観点はセル読出スケジューリング装置であって、本発明の特徴とするところは、各コネクションの識別子情報および帯域情報の組を記録するコネクション情報保持手段と、指定されたポリシに基づいて前記コネクション情報保持手段に記録されたコネクション情報の組を並べ替えるコネクション情報ソート手段と、スケジューリングテーブル上のタイムスロット毎に配置され当該タイムスロットに割当てられたコネクションを識別するコネクション識別手段と、各タイムスロットに配置するコネクションのコネクション識別手段をタイムスロット毎にリスト状に接続して管理する手段と、各コネクションが要求するセル出力タイミングの予約を受け付けて前記コネクション識別手段を配置するタイムスロット管理手段と、このタイムスロット管理手段に対して各コネクションの先頭のタイムスロットおよびこの先頭のタイムスロットを起点とした各コネクションの理想的なタイムスロット配置を予約する手段と、スケジューリングテーブル上の１つのタイムスロットに対して複数のコネクションが前記コネクション識別手段を重複して予約配置したときにこれを異なるタイムスロットに分散させる手段とを含むスケジューリング手段を備え、このスケジューリング手段のスケジューリング結果にしたがってセルを読出す手段を備えたところにある。
【手続補正書】
【提出日】平成15年8月8日(2003.8.8)
【手続補正１】
【補正対象書類名】明細書
【補正対象項目名】特許請求の範囲
【補正方法】変更
【補正の内容】
【特許請求の範囲】
【請求項１】
フラットスクリーンを取付け動作中のフラットスクリーンを冷却するための装置であって、フラットスクリーンと熱発生電気および若しくは電子ユニットを収容するためのハウジング（２）と、これらのユニットによって発生された熱をハウジングの熱伝導背壁（４）に伝導するための少なくとも一つの熱ブリッジ（８）とを含み、前記壁にハウジング（２）の背面で複数の煙突状キャビティ（６）を形成するプロフィール（５）が備えられ、冷却空気をそれぞれのキャビティ内に供給するための少なくとも一つの開口部（１５）が各キャビティの下方端部に形成され、加熱された空気をキャビティから大気中に放出するための少なくとも一つのアウトレット開口部（１６）が各キャビティの上方端部に形成され、
ハウジング（２）の背壁（４）がキャビティ（６）に隣接し配置された複数の貫通ホール（１７）を含み、前記貫通ホール（１７）が前記キャビティ（６）から熱発生ユニットと背壁（４）との間に配置されたスペース（１０）へ空気を供給し前記スペース（１０）から前記キャビティ（６）に加熱された空気を放出するようにしたことを特徴とする装置。
【請求項２】
ハウジングがハウジングフレームからなり、また熱伝導性材料からなる熱ブリッジ（８）がハウジングフレーム（３）に固定されたプリント回路板（７）の少なくとも一つの位置に形成され、フラットスクリーンの複数の発熱要素が前記プリント回路板上に配設され、前記熱ブリッジがハウジング（２）の背壁（４）に向けて方向付けられて、動作に際して背壁（４）と接触する請求項１に記載の装置。
【請求項３】
動作中に過熱されるプリント回路板（７）とフラットスクリーンの最終前面ガラス板間の空気が、プリント回路板（７）と背壁（４）間のスペース（１０）に少なくとも一つのチャネルを介して導入される請求項２に記載の装置。
【請求項４】
プロフィール（５）がねじによって背壁（４）に固定されている請求項１から３の一つに記載の装置。
【請求項５】
煙突状キャビティ（６）が本質的にカートリッジ状断面を有し、外部に向けて丸くなった頂点を有している請求項１から３の一つに記載の装置。
【請求項６】
煙突状キャビティ（６）が本質的にカートリッジ状断面を有し、外部に向けて丸くなった頂点を有している請求項４に記載の装置。
【請求項７】
煙突状キャビティ（６）が各々互いにスペースを有している請求項１から３の一つに記載の装置。
【請求項８】
ハウジングフレーム（３）と背壁（４）が押出アルミニウムで形成されている請求項２と３の一つに記載の装置。
【請求項９】
ハウジングフレーム（３）がレーザ溶接によって結合された複数の部品からなる請求項８に記載の装置。
【請求項１０】
フラットスクリーンを取付け動作中のフラットスクリーンを冷却する装置であって、フラットスクリーンを収容するハウジング（２）を含み、また熱発生電気および電子ユニットと、これらのユニットによって発生された熱をハウジングの背面に配置された熱伝導板に伝導するための少なくとも一つの熱ブリッジ（８）とを含み、前記板がこの板の高速冷却のためのプロフィール（５）を備えている装置において、
板がハウジング（２）の背壁（４）を形成し、プロフィール（５）がハウジング（２）の背面上にねじによって固定されるとともに、背壁と一緒に複数の煙突状キャビティ（６）を形成しており、前記キャビティが相互間隔をおいて配置され、実質的に外方向を向いた丸みのある頂点を有するカートリッジ状キャビティを有するとともに、各々下方端部（１２）と上方端部からなり、冷却空気をそれぞれのキャビティ（６）に供給するための少なくとも一つの開口部（１５）が下方端部に形成され、また、加熱された空気をキャビティ（６）から大気中に放出するための少なくとも一つのアウトレット開口部（１６）が上方端部に形成されており、
ハウジング（２）の背壁（４）にキャビティ（６）のエリア内に配置された複数の貫通ホール（１７）が設けられ、前記貫通ホール（１７）が発熱ユニットと背壁（４）間に配備されたスペース（１０）へ空気を供給し、また、これから空気を放出する作用をし、
ハウジングがハウジングフレームからなり、また熱伝導性材料からなる熱ブリッジ（８）がハウジングフレーム（３）上に固定されたプリント回路板（７）の少なくとも一つの位置に形成されており、フラットスクリーンの複数の発熱要素が前記プリント回路板上に配備されており、前記熱ブリッジがハウジング（２）の背壁（４）に向けて方向付けられて、動作状態で背壁（４）と接触しており、
動作中加熱されるプリント回路板（７）とフラットスクリーンの最終前面ガラス板間の空気が、プリント回路板（７）と背壁（４）間のスペース（１０）に少なくとも一つのチャネルを介して導入される、フラット・スクリーンを取付け、冷却する装置。
【手続補正書】
【提出日】平成15年11月4日(2003.11.4)
【手続補正１】
【補正対象書類名】明細書
【補正対象項目名】特許請求の範囲
【補正方法】変更
【補正の内容】
【特許請求の範囲】
【請求項１】
ポリエステル系ポリオールおよび／またはポリカーボネート系ポリオールを主成分とし、かつ、ジオールと３価以上のポリオールとを含むポリオール混合物であって、該混合物の平均水酸基価が４０〜１２０、（３価以上のポリオール）／（ジオール）の当量比が０．１〜０．８である高分子量のポリオール混合物（Ａ）、該ポリオール混合物（Ａ）１当量に対して１．９〜６．０当量の実質的に２価の鎖延長剤（Ｂ）、および該ポリオール混合物（Ａ）と鎖延長剤（Ｂ）の合計１当量に対し０．８〜１．２当量の実質的に２価の脂環族系または脂肪族系のポリイソシアネート化合物（Ｃ）を主成分とする反応硬化性組成物を用いて製造された透明かつ平滑な架橋されたポリウレタン系樹脂シート。
【請求項２】
反応硬化性組成物が、さらに（Ａ）、（Ｂ）、および（Ｃ）の合計重量に対して０．００１〜１０重量％のシラン系化合物（Ｄ）を含む請求項１の架橋されたポリウレタン系樹脂シート。
【請求項３】
架橋されたポリウレタン系樹脂シートが、反応硬化性組成物をキャスト成形して得られたものである、請求項１または２の架橋されたポリウレタン系樹脂シート。
【請求項４】
請求項１、２または３の架橋されたポリウレタン系樹脂シートを片面に有し、無機ガラスを他面に有する、２層以上からなる層構造を有する積層体。
【請求項５】
合成樹脂からなる第一の表面層、請求項１、２または３の架橋されたポリウレタン系樹脂シートからなる中間層、および無機ガラスからなる第二の表面層を有する、３層以上からなる層構造を有する積層体。
【手続補正書】
【提出日】平成15年9月25日(2003.9.25)
【手続補正１】
【補正対象書類名】明細書
【補正対象項目名】特許請求の範囲
【補正方法】変更
【補正の内容】
【特許請求の範囲】
【請求項１】
（ａ）シロキサンセグメントと（ｂ）両性モノマー単位及び／又はカチオン性モノマー単位とを構成成分として含んで成るブロックコポリマー。
【請求項２】
構成成分として（ｃ）両性モノマー並びにカチオン性モノマーの前駆体モノマー単位を更に含んで成る請求項１に記載のブロックコポリマー。
【請求項３】
構成成分として（ｄ）非イオン性モノマー単位を更に含んで成る請求項１又は２に記載のブロックコポリマー。
【請求項４】
シロキサンセグメントがアゾ基含有ポリシロキサン化合物由来のセグメントである請求項１〜３の何れかに記載のブロックコポリマー。
【請求項５】
シロキサンセグメントが、一般式［１ａ］
【化１】
1997235334.tif 000001
（式中、Ｒ1は水素原子又は低級アルキル基を表し、Ｒ2は低級アルキル基又はシアノ基を表し、ＡはＮＨ又はＯを表し、Ｂ1は酸素原子を介していても良いアルキレン基を表し、Ｒ3は水素原子、アルキル基、ハロアルキル基又はアリール基 を表し、Ｂ2は酸素原子及び／又は芳香環を介していても良い低級アルキレン基 を表し、ｍは０又は１〜２００の整数を表す。）で示される繰り返し単位を有するポリシロキサンセグメント、
または上記一般式［１ａ］で示される繰り返し単位と一般式［２］
【化２】
1997235334.tif 000002
（式中、−ＣＯ−Ｙ−ＣＯ−は二塩基酸残基を表し、Ｒ3，Ａ，Ｂ2及びｍは前記に同じ。）で示される繰り返し単位の組み合わせから成るポリシロキサンセグメントである、請求項１〜３の何れかに記載のブロックコポリマー。
【請求項６】
両性モノマー単位が、一般式［３ａ］
【化３】
1997235334.tif 000003
［式中、Ｒ4は水素原子又は低級アルキル基を表し、Ｅは結合手、−ＣＯＯＲ8−（Ｒ8は低級アルキレン基を表す。）又は−ＣＯＮＨＲ8−（Ｒ8は前記と同じ。）を表し、Ｒ5及びＲ6は夫々独立して低級アルキル基又はアリール基を表し（尚、Ｒ5とＲ6とが窒素原子と共に環を形成していても良く、この環には更にＮＨ又はＯを含んでいても良い。）、Ｒ7は二価の炭化水素基を表す。］で示されるものであり、
カチオン性モノマー単位が、一般式［４ａ］
【化４】
1997235334.tif 000004
［式中、Ｒ4は水素原子又は低級アルキル基を表し、Ｅは結合手、−ＣＯＯＲ8−（Ｒ8は低級アルキレン基を表す。）又は−ＣＯＮＨＲ8−（Ｒ8は前記と同じ。）を表し、Ｚ+はトリアルキルアンモニウムイオン又は環状アンモニウムイオンを表し、Ｗ-は陰イオンを表す。］で示されるものである、請求項１〜５の何れかに記載のブロックコポリマー。
【請求項７】
両性モノマー並びにカチオン性モノマーの前駆体モノマー単位が、一般式［５ａ］
【化５】
1997235334.tif 000005
（式中、Ｚ1はジアルキルアミノ基又は環状アミノ基を表し、Ｒ4は水素原子又は低級アルキル基を表し、Ｅは結合手を表す。）で示されるモノマー単位である、請求項２に記載のブロックコポリマー。
【請求項８】
非イオン性モノマー単位が、一般式［６ａ］
【化６】
1997235334.tif 000006
（式中、Ｒ9は水素原子、低級アルキル基又はハロゲン原子を表し、Ｒ10は水素 原子、低級アルキル基、ハロゲン原子、アルキルオキシカルボニル基又はホルミル基を表し、Ｒ11は水素原子、低級アルキル基、ハロゲン原子又はアルキルオキシカルボニル基を表し、Ｒ12は二重結合を有していても良いアルキレン基又は結合手を表し、Ｒ13は水素原子、アルキル基、ハロアルキル基、アリール基、脂肪族ヘテロ環基、芳香族ヘテロ環基、ハロゲン原子、アルキルオキシカルボニル基、アラルキルオキシカルボニル基、ヒドロキシアルキルオキシカルボニル基、シアノ基、アシルオキシ基、ホルミル基、ヒドロキシル基を表す。）で示されるモノマー単位である、請求項３に記載のブロックコポリマー。
【請求項９】
アゾ基含有ポリシロキサン化合物の存在下に、両性モノマー及び／又はカチオン性モノマー、及び要すれば非イオン性モノマーとを重合反応させることを特徴とする、請求項１又は３記載のブロックコポリマーの製造法。
【請求項１０】
アゾ基含有ポリシロキサン化合物の存在下に、両性モノマー及び／又はカチオン性モノマーと、これらの前駆体モノマー、及び要すれば非イオン性モノマーとを重合反応させることを特徴とする、請求項２又は３記載のブロックコポリマーの製造法。
【請求項１１】
アゾ基含有ポリシロキサン化合物の存在下に、両性モノマー並びにカチオン性モノマーの前駆体モノマー、及び要すれば非イオン性モノマーとを重合反応させた後、両性化反応及び／又は四級塩化反応させることを特徴とする、請求項１〜３の何れかに記載のブロックコポリマーの製造法。
【請求項１２】
アゾ基含有ポリシロキサン化合物の存在下に、両性モノマー及び／又はカチオン性モノマーと、これらの前駆体モノマー、及び要すれば非イオン性モノマーとを重合反応させた後、四級塩化反応及び／又は両性化反応させることを特徴とする、請求項１〜３の何れかに記載のブロックコポリマーの製造法。
【請求項１３】
ポリシロキサン化合物が、一般式［１］
【化７】
1997235334.tif 000007
（式中、Ｒ1，Ｒ2，Ａ，Ｂ1，Ｒ3，Ｂ2及びｍは前記に同じ。）で示される繰り返し単位、または上記一般式［１］で示される繰り返し単位と一般式［２］
【化８】
1997235334.tif 000008
（式中、−ＣＯ−Ｙ−ＣＯ−，Ｒ3，Ａ，Ｂ2及びｍは前記に同じ。）で示される繰り返し単位の組み合わせからなるものである、請求項９〜１２の何れかに記載の製造方法。
【請求項１４】
両性モノマーが、一般式［３］
【化９】
1997235334.tif 000009
［式中、Ｒ4，Ｅ，Ｒ5，Ｒ6及びＲ7は前記に同じ。］で示される化合物であり、
カチオン性モノマーが、一般式［４］
【化１０】
1997235334.tif 000010
［式中、Ｒ4，Ｅ，Ｚ+及びＷ-は前記に同じ。］で示される化合物である、請求項９、１０及び１２の何れかに記載の製造方法。
【請求項１５】
両性モノマー及びカチオン性モノマーの前駆体モノマーが、一般式［５］
【化１１】
1997235334.tif 000011
（式中、Ｚ1，Ｒ4及びＥは前記に同じ。）で示される化合物である、請求項１０〜１２の何れかに記載の製造方法。
【請求項１６】
非イオン性モノマーが、一般式［６］
【化１２】
1997235334.tif 000012
（式中、Ｒ9，Ｒ10，Ｒ11，Ｒ12及びＲ13は前記に同じ。）で示される化合物である、請求項９〜１２の何れかに記載の製造方法。
【手続補正書】
【提出日】平成15年12月10日(2003.12.10)
【手続補正１】
【補正対象書類名】明細書
【補正対象項目名】特許請求の範囲
【補正方法】変更
【補正の内容】
【特許請求の範囲】
【請求項１】
式（１）
【化１】
1997235233.tif 000001
で表される化合物又はその誘導体を含有する眼科用の医薬組成物。
【請求項２】
点眼剤である請求項１記載の組成物。
【請求項３】
眼軟膏剤である請求項１記載の組成物。
【請求項４】
式（１）で表される化合物又はその誘導体の含有量が、０．０１〜２０％の範囲である請求項２又は３記載の組成物。
【請求項５】
眼内灌流・洗浄剤である請求項１記載の組成物。
【請求項６】
式（１）で表される化合物又はその誘導体の含有量が、０．０１〜１０％の範囲である請求項５記載の組成物。
【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
ベース層の上に金属層を形成し、更に上記金属層の上にエッチング層を形成し、上記ベース層と上記金属層および上記エッチング層より構成される基板上にフォトレジスト層を形成した後、
上記基板を回転させ記録信号で変調されかつスポットに絞られたレーザビームを、上記基板に照射して上記フォトレジスト層に複数の露光部を形成し、
現像によって上記フォトレジスト層の上記各露光部を残して上記フォトレジスト層の未露光部を除去することで上記エッチング層上に複数のフォトレジスト突起部を形成し、
その後、上記エッチング層をエッチングすることで、上記エッチング層に複数の信号突起部を形成した後、
上記各フォトレジスト突起部を除去し、
スタンパーを作製することを特徴とする光ディスクのスタンパー作製方法。
【請求項２】
上記ベース層の上への上記金属層の形成において、スパッタリング、真空蒸着、イオンプレーティング、または無電解メッキの内いずれか１つの方法により、金属材料を上記ベース層上へ付着させ、上記金属層を形成する請求項１に記載の光ディスクのスタンパー作製方法。
【請求項３】
研磨されたニッケル板により形成される上記ベース層の上に、ニッケルを付着させて上記金属層を形成する請求項１、または２に記載の光ディスクのスタンパー作製方法。
【請求項４】
上記ベース層の上に上記金属層を形成し、上記形成後における上記金属層が活性状態を保っている間に、上記金属層の上に上記エッチング層を形成する請求項１〜３のいずれか１つに記載の光ディスクのスタンパー作製方法。
【請求項５】
ベース層の上に金属層を形成し、更に上記金属層の上にエッチング層を形成し、上記ベース層と上記金属層および上記エッチング層より構成される基板上にフォトレジスト層を形成した後、
上記基板を回転させ記録信号で変調されかつスポットに絞られたレーザビームを上記基板に照射して上記フォトレジスト層に複数の露光部を形成し、
現像によって上記フォトレジスト層の上記各露光部を残して上記フォトレジスト層の未露光部を除去することで、上記エッチング層上に複数のフォトレジスト突起部を形成し、
その後、上記エッチング層をエッチングすることで、上記エッチング層に複数の信号突起部を形成した後、
上記各フォトレジスト突起部を除去して光ディスクのスタンパーを作製し、
上記スタンパーを使用して射出成形で樹脂によるレプリカディスクを成形し、
上記レプリカディスクに記録膜または反射膜を形成して、光ディスクを作製することを特徴とする光ディスク作製方法。
【請求項６】
上記レプリカディスクへの上記記録膜または上記反射膜の形成の後、当該レプリカディスクに、別のレプリカディスクを貼り合わせて、光ディスクを作成する請求項５に記載の光ディスク作製方法。
【請求項７】
上記ベース層の上への上記金属層の形成において、スパッタリング、真空蒸着、イオンプレーティング、または無電解メッキの内いずれか１つの方法により、金属材料を上記ベース層上へ付着させ、上記金属層を形成する請求項５または６に記載の光ディスク作製方法。
【請求項８】
研磨されたニッケル板により形成される上記ベース層の上に、ニッケルを付着させて上記金属層を形成する請求項５〜７のいずれか１つに記載の光ディスク作製方法。
【請求項９】
上記ベース層の上に上記金属層を形成し、上記形成後における上記金属層が活性状態を保っている間に、上記金属層の上に上記エッチング層を形成する請求項５〜８のいずれか１つに記載の光ディスク作製方法。
【手続補正２】
【補正対象書類名】明細書
【補正対象項目名】００１６
【補正方法】変更
【補正の内容】
【００１６】
本発明の第１態様によれば、ベース層の上に金属層を形成し、更に上記金属層の上にエッチング層を形成し、上記ベース層と上記金属層および上記エッチング層より構成される基板上にフォトレジスト層を形成した後、
上記基板を回転させ記録信号で変調されかつスポットに絞られたレーザビームを、上記基板に照射して上記フォトレジスト層に複数の露光部を形成し、
現像によって上記フォトレジスト層の上記各露光部を残して上記フォトレジスト層の未露光部を除去することで上記エッチング層上に複数のフォトレジスト突起部を形成し、
その後、上記エッチング層をエッチングすることで、上記エッチング層に複数の信号突起部を形成した後、
上記各フォトレジスト突起部を除去し、
スタンパーを作製することを特徴とする光ディスクのスタンパー作製方法を提供する。


【手続補正３】
【補正対象書類名】明細書
【補正対象項目名】００２０
【補正方法】変更
【補正の内容】
【００２０】
本発明の第５態様によれば、ベース層の上に金属層を形成し、更に上記金属層の上にエッチング層を形成し、上記ベース層と上記金属層および上記エッチング層より構成される基板上にフォトレジスト層を形成した後、
上記基板を回転させ記録信号で変調されかつスポットに絞られたレーザビームを上記基板に照射して上記フォトレジスト層に複数の露光部を形成し、
現像によって上記フォトレジスト層の上記各露光部を残して上記フォトレジスト層の未露光部を除去することで、上記エッチング層上に複数のフォトレジスト突起部を形成し、
その後、上記エッチング層をエッチングすることで、上記エッチング層に複数の信号突起部を形成した後、
上記各フォトレジスト突起部を除去して光ディスクのスタンパーを作製し、
上記スタンパーを使用して射出成形で樹脂によるレプリカディスクを成形し、
上記レプリカディスクに記録膜または反射膜を形成して、光ディスクを作製することを特徴とする光ディスク作製方法を提供する。
本発明の第６態様によれば、上記レプリカディスクへの上記記録膜または上記反射膜の形成の後、当該レプリカディスクに、別のレプリカディスクを貼り合わせて、光ディスクを作成する第５態様に記載の光ディスク作製方法を提供する。
【手続補正４】
【補正対象書類名】明細書
【補正対象項目名】００２１
【補正方法】変更
【補正の内容】
【００２１】
本発明の第７態様によれば、上記ベース層の上への上記金属層の形成において、スパッタリング、真空蒸着、イオンプレーティング、または無電解メッキの内いずれか１つの方法により、金属材料を上記ベース層上へ付着させ、上記金属層を形成する第５態様または第６態様に記載の光ディスク作製方法を提供する。


【手続補正５】
【補正対象書類名】明細書
【補正対象項目名】００２２
【補正方法】変更
【補正の内容】
【００２２】
本発明の第８態様によれば、研磨されたニッケル板により形成される上記ベース層の上に、ニッケルを付着させて上記金属層を形成する第５態様〜第７態様のいずれか１つに記載の光ディスク作製方法を提供する。


【手続補正６】
【補正対象書類名】明細書
【補正対象項目名】００２３
【補正方法】変更
【補正の内容】
【００２３】
本発明の第９態様によれば、上記ベース層の上に上記金属層を形成し、上記形成後における上記金属層が活性状態を保っている間に、上記金属層の上に上記エッチング層を形成する第５態様〜第８態様のいずれか１つに記載の光ディスク作製方法を提供する。
【手続補正書】
【提出日】平成15年12月10日(2003.12.10)
【手続補正１】
【補正対象書類名】明細書
【補正対象項目名】請求項２
【補正方法】変更
【補正の内容】
【請求項２】
Ｃ：０．０００５〜０．１％、Ｓｉ：０．００１〜２．０％、Ｍｎ：０．０１〜０．６％、Ｐ：０．０５％以下、Ｓ：０．０３％以下、Ｃｅｑ：０．１０％以下、残部Ｆｅ及び不可避的不純物からなることを特徴とする請求項１に記載の地下埋設物の防護用鋼板。
【数２】
2000054077.tif 000001
【手続補正書】
【提出日】平成15年10月16日(2003.10.16)
【手続補正１】
【補正対象書類名】明細書
【補正対象項目名】００１１
【補正方法】変更
【補正の内容】
【００１１】
なお、図２に示す乾燥塔において、供給口(101)から供給された濃硫酸(7)はガスと接触して水分を吸収し、硫酸となって塔底(51)に到達し、ここに貯留されるが、塔底に貯留される硫酸(73)は通常、水分を更に吸収しうるので、これをポンプ(11)により回収し、必要により熱交換器(12)で温度調節されたのち第二供給口(102)から乾燥塔内部に供給されてもよく、乾燥塔内部に供給された硫酸(72)は、塔内を流通するガスと接触して再び水を吸収する。第二供給口(102)は通常、先の供給口(101)よりも下方側に配置され、図２に示す乾燥塔では、先の供給口(101)の下側の泡鐘トレイ(53)の更に下側であって、充填物(54)の上側に第二供給口が配置されている。第二供給口(102)から供給される硫酸(72)は、噴霧して供給してもよいし、流下または滴下して供給してもよいが、図２に示す乾燥塔(5)では、第二供給口(102)の下側の充填物(54)に均一に硫酸を供給できるように、噴霧して供給している。塔底から回収された硫酸の一部(74)は系外に排出される。


【手続補正２】
【補正対象書類名】明細書
【補正対象項目名】００２５
【補正方法】変更
【補正の内容】
【００２５】
比較例１
塩素ガス（Ｃｌ2、純度はモル分率で約９９％、水分（Ｈ2Ｏ）をモル分率で約１％含む）を図３に示す乾燥塔(5)の塔底(51)から供給し、塔頂(52)から乾燥ガス(1)を得た。得られた乾燥ガス(1)は、水分の含有量が検出下限（５ｐｐｍ）未満であった。この乾燥ガスには、５０〜６０ｐｐｍ程度の硫酸が飛沫として含まれている。次いで、この乾燥ガスをブリンク式フィルター（孔径１μｍ、ガラスファイバー製）(9)を通過させたところ、硫酸飛沫の含有量は約２ｐｐｍであった。
【手続補正書】
【提出日】平成15年6月10日(2003.6.10)
【手続補正１】
【補正対象書類名】明細書
【補正対象項目名】特許請求の範囲
【補正方法】変更
【補正の内容】
【特許請求の範囲】
【請求項１】
支柱に高さ調節可能に支持された取付枠と、定置板を全方向への傾斜角度調節可能に支持したジャイロ支持盤と、前記取付枠の下方にて前記ジャイロ支持盤を水平面内で縦横に移動可能に支持する縦横支持機構とからなり、先端に真空吸着パッドが設けられた多関節アームの基部を前記取付枠に固定し、該多関節アームを自在に屈曲し得るようにして該真空吸着パッドを前記定置板上に載置したうえで該多関節アームの各関節固定手段を固定することで前記基部に対する該真空吸着パッドの位置および角度が設定されるようにしたことを特徴とする真空吸着パッドセッティング装置。
【請求項２】
取付枠の支持高さを数値表示する高さ表示手段と、定置板の傾斜角度を数値表示する角度表示手段と、ジャイロ支持盤の水平面内での移動量を数値表示する位置表示手段とを備えてなる請求項１に記載の真空吸着パッドセッティング装置。
【手続補正２】
【補正対象書類名】明細書
【補正対象項目名】０００４
【補正方法】変更
【補正の内容】
【０００４】
【課題を解決するための手段】
そのために本発明の真空吸着パッドセッティング装置は、支柱に高さ調節可能に支持された取付枠と、定置板を全方向への傾斜角度調節可能に支持したジャイロ支持盤と、前記取付枠の下方にて前記ジャイロ支持盤を水平面内で縦横に移動可能に支持する縦横支持機構とからなり、先端に真空吸着パッドが設けられた多関節アームの基部を前記取付枠に固定し、該多関節アームを自在に屈曲し得るようにして該真空吸着パッドを前記定置板上に載置したうえで該多関節アームの各関節固定手段を固定することで前記基部に対する該真空吸着パッドの位置および角度が設定されるようにしたことを特徴とする。
また本発明は上記セッティング装置において、取付枠の支持高さを数値表示する高さ表示手段と、定置板の傾斜角度を数値表示する角度表示手段と、ジャイロ支持盤の水平面内での移動量を数値表示する位置表示手段とを備えてなることを特徴とする。


【手続補正３】
【補正対象書類名】明細書
【補正対象項目名】００１２
【補正方法】変更
【補正の内容】
【００１２】
【発明の効果】
このように本発明の真空吸着パッドセッティング装置は、支柱に高さ調節可能に支持された取付枠と、定置板を全方向への傾斜角度調節可能に支持したジャイロ支持盤と、前記取付枠の下方にて前記ジャイロ支持盤を水平面内で縦横に移動可能に支持する縦横支持機構とからなり、先端に真空吸着パッドが設けられた多関節アームの基部を前記取付枠に固定し、該多関節アームを自在に屈曲し得るようにして該真空吸着パッドを前記定置板上に載置したうえで該多関節アームの各関節固定手段を固定することで前記基部に対する該真空吸着パッドの位置および角度が設定できるようにしたものであるので、使用現場での調節の要をなくし、真空吸着パッドを短時間で容易にセッティングできるようにする有益な効果がある。
【手続補正書】
【提出日】平成15年10月29日(2003.10.29)
【手続補正１】
【補正対象書類名】明細書
【補正対象項目名】００６２
【補正方法】変更
【補正の内容】
【００６２】
以上のように、本実施形態においては、外周端縁部にテーパ砥石面１０ａ、１０ｂを有する円盤状の砥石車１０の回転軸線Ｓｇ を、回転支持したワークＷの回転軸線Ｓｗに対して傾斜させた状態で、上記砥石車１０のテーパ砥石面１０ａ、１０ｂにより、内径端面Ｗｂを含んでワークＷを研削することで、ワークの内径端面Ｗｂとフランジ端面Ｗｃを同じ前側テーパ砥石面１０ａで研削することができ、簡単な構造でしかもワークＷの穴深さ（内径面Ｗａの軸方向寸法）を高精度に加工することができる。
【手続補正書】
【提出日】平成16年1月15日(2004.1.15)
【手続補正１】
【補正対象書類名】明細書
【補正対象項目名】特許請求の範囲
【補正方法】変更
【補正の内容】
【特許請求の範囲】
【請求項１】
汚染媒体を、粉末状の消石灰と混合した後、水と混練することを特徴とする汚染媒体の処理方法。
【請求項２】
汚染媒体を粉末状の消石灰と混合し、更に、水溶性アルカリ剤、キレート剤、酸水溶液の少なくとも１つからなる水溶液を添加して混練することを特徴とする汚染媒体の処理方法。
【請求項３】
汚染媒体溶出液のｐＨを６〜１２に調整して混練することを特徴とする請求項１又は２に記載の方法。
【請求項４】
粉末状の消石灰を含むことを特徴とする、汚染媒体の重金属類溶出防止剤。
【請求項５】
焼却炉から排出される焼却飛灰を含む排ガスを処理してその中に含まれる焼却飛灰を分離するための集塵装置；前記集塵装置から排出される焼却飛灰に、粉末状の消石灰を含む汚染媒体処理剤を加える汚染媒体処理剤添加装置；粉末状の消石灰と混合された焼却飛灰を水と共に混練するための混練装置；を具備することを特徴とする、焼却飛灰の処理装置。
【請求項６】
汚染媒体処理剤添加装置が、集塵装置の出口に接続されている請求項５に記載の装置。
【請求項７】
焼却炉から排出される焼却飛灰を含む排ガスを処理してその中に含まれる焼却飛灰を分離するための集塵装置；前記集塵装置から排出される焼却飛灰に、粉末状の消石灰を含む汚染媒体処理剤を加える汚染媒体処理剤添加装置；焼却飛灰に水溶性アルカリ剤、キレート剤、酸水溶液の少なくとも１つからなる水溶液を加える薬剤添加装置；粉末状の消石灰及び前記水溶液と混合された焼却飛灰を混練するための混練装置；を具備することを特徴とする、焼却飛灰の処理装置。
【手続補正書】
【提出日】平成15年9月17日(2003.9.17)
【手続補正１】
【補正対象書類名】明細書
【補正対象項目名】０００５
【補正方法】変更
【補正の内容】
【０００５】
【課題を解決するための手段】
上記課題を達成するため、本発明では次の構成をとった。すなわち、本発明は、上流から順に、嫌気処理槽（又は、第一固液分離槽２及び第二固液分離槽３）と、充填材が充填された好気処理槽（又は生物反応槽）４と、充填材が充填された濾過槽７とを備える汚水浄化槽であって、前記好気処理槽４と前記濾過槽７とは並置され、前記好気処理槽４と前記濾過槽７との間には、好気処理槽４に通じる連通口９を有する小室５を設け、その小室５には、流入液の一部を嫌気処理槽へ戻す液返送装置６が備えられている汚水浄化槽である。
【手続補正書】
【提出日】平成16年1月29日(2004.1.29)
【手続補正１】
【補正対象書類名】明細書
【補正対象項目名】００５６
【補正方法】変更
【補正の内容】
【００５６】
図７および図８は、この表示装置の製造方法を工程順に表すものである。まず、図７（Ａ）に示したように、上述した材料よりなる駆動用基板１１の上に、例えば直流スパッタリングにより、上述した材料よりなる第１電極１２を上述した厚みで成膜し、例えばリソグラフィ技術を用いて選択的にエッチングし、所定の形状にパターニングする。その後、同じく図７（Ａ）に示したように、例えば蒸着法により、上述した厚みおよび材料よりなる正孔注入層１３Ａ，正孔輸送層１３Ｂ，発光層１３Ｃ，電子輸送層１３Ｄおよび第２電極１４を順次成膜し、図２および図４に示したような有機発光素子１０Ｒ，１０Ｇ，１０Ｂを形成する。これにより、駆動パネル１０が形成される。


【手続補正２】
【補正対象書類名】明細書
【補正対象項目名】００５８
【補正方法】変更
【補正の内容】
【００５８】
封止パネル２０および駆動パネル１０を形成したのち、図８（Ａ）に示したように、有機発光素子１０Ｒ，１０Ｇ，１０Ｂの上に、接着層３０を形成する。そののち、図８（Ｂ）に示したように、駆動パネル１０と封止パネル２０とを接着層３０を介して貼り合わせる。その際、封止パネル２０のうちカラーフィルター２２を形成した側の面を、駆動パネル１０と対向させて配置することが好ましい。以上により、駆動パネル１０と封止パネル２０とが接着され、図１ないし図４に示した表示装置が完成する。


【手続補正３】
【補正対象書類名】図面
【補正対象項目名】図２
【補正方法】変更
【補正の内容】
【図２】
2004127795.tif 000001
【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
記録材料のインク層と受像材料の受像層とを対面するよう重ね合わせた状態で、画像状に熱を与えることにより前記インク層の少くとも一部を前記受像層に画像状に転写することにより、受像材料上に画像を記録する画像記録装置において、
前記インク層及び／または受像層の表面に圧接するクリーニングローラと、このクリーニングローラの表面に圧接する回収ローラとを備え、
前記クリーニングローラと前記回収ローラの表面は粘着性を有することを特徴とする画像記録装置。
【請求項２】
前記記録材料及び受像材料を供給する供給部と、この供給部から供給される記録材料及び受像材料を搬送する搬送部と、この搬送部から送られる記録材料のインク層と受像材料の受像層とを対面するよう重ね合わせた状態で、
画像状に熱を与えることにより前記インク層の少くとも一部を前記受像層に画像状に転写させる画像記録部とを有し、
これらの少なくともいずれかに前記クリーニングローラ及び前記回収ローラを備えることを特徴とする請求項１記載の画像記録装置。
【請求項３】
前記供給部、搬送部、画像記録部の非作動時にも連続または間欠的に、前記クリーニングローラと回収ローラを駆動させてクリーニングすることを特徴とする請求項２記載の画像記録装置。
【請求項４】
前記供給部に、前記記録材料または受像材料を供給する供給ローラを配置し、
この供給ローラとして表面が粘着性を有するクリーニングローラを用いたことを特徴とする請求項２または請求項３記載の画像記録装置。
【請求項５】
前記画像記録部に、画像状は熱を与えるために、記録材料のインク層と受像材料の受像層とを対面するよう重ね合わせた状態で記録材料及び受像材料を保持するドラムを備え、
このドラムの表面に圧接可能な位置に表面が粘着性を有するクリーニングローラを配置し、
前記ドラム上に保持された前記記録材料及び受像材料の表面に前記クリーニングローラを圧接して材料表面のクリーニングを行うと共に、
前記ドラム上に保持された前記記録材料及び／または受像材料がない状態でも、前記ドラムの表面に前記クリーニングローラを圧接してドラム表面のクリーニングを行うことを特徴とする請求項１乃至請求項４のいずれかに記載の画像記録装置。
【請求項６】
前記供給部に、ロール状の記録材料及び／または受像材料をシート状に切断するカッターを配置し、
このカッターに空気を吹き出し或いは排気するブロワを配置したことを特徴とする請求項１乃至請求項４のいずれかに記載の画像記録装置。
【請求項７】
前記クリーニングローラの表面の帯電を抑制する帯電抑制手段を設けたことを特徴とする請求項１乃至請求項６のいずれかに記載の画像記録装置。
【手続補正２】
【補正対象書類名】明細書
【補正対象項目名】０００２
【補正方法】変更
【補正の内容】
【０００２】
【従来の技術】
画像記録装置は、例えば、色分解網点画像データからカラープルーフを作成するのに用いられる。そして、このカラープルーフを作成する方式として様々な方式が提案、実施されており、ＹＭＣ或いはＹＭＣＫの各色の色分解網点画像データを得て、記録材料のインク層と受像材料の受像層とを対面するよう重ね合わせた状態で、この各色の色分解網点画像データに応じた画像状に熱を与えることによりインク層の少なくとも一部を受像層に、この画像状に転写するものがある。この場合、記録材料上に形成されている１０マイクロメートル以下のサイズのドットで構成される網点画像状にインク層の少なくとも一部を受像材料に転写しなければならない。


【手続補正３】
【補正対象書類名】明細書
【補正対象項目名】００１０
【補正方法】変更
【補正の内容】
【００１０】
この請求項１記載の発明によれば、インク層及び／または受像層上のゴミ、ほこり等の異物をクリーニングローラにより容易に除去することができ、画像転写不良を抑制し、回収ローラによりクリーニングローラの表面上の異物を回収することによりクリーニングローラの清掃期間の延長と、清掃箇所を減らすことができる。


【手続補正４】
【補正対象書類名】明細書
【補正対象項目名】００１７
【補正方法】変更
【補正の内容】
【００１７】
請求項５記載の発明は、『前記画像記録部に、画像状は熱を与えるために、記録材料のインク層と受像材料の受像層とを対面するよう重ね合わせた状態で記録材料及び受像材料を保持するドラムを備え、このドラムの表面に圧接可能な位置に表面が粘着性を有するクリーニングローラを配置し、前記ドラム上に保持された前記記録材料及び受像材料の表面に前記クリーニングローラを圧接して材料表面のクリーニングを行うと共に、前記ドラム上に保持された前記記録材料及び／または受像材料がない状態でも、前記ドラムの表面に前記クリーニングローラを圧接してドラム表面のクリーニングを行うことを特徴とする請求項１乃至請求項４のいずれかに記載の画像記録装置。』である。


【手続補正５】
【補正対象書類名】明細書
【補正対象項目名】００２１
【補正方法】変更
【補正の内容】
【００２１】
請求項７記載の発明は、『前記クリーニングローラの表面の帯電を抑制する帯電抑制手段を設けたことを特徴とする請求項１乃至請求項６のいずれかに記載の画像記録装置。』である。


【手続補正６】
【補正対象書類名】明細書
【補正対象項目名】００３１
【補正方法】変更
【補正の内容】
【００３１】
このように、粘着力が強くローラ径の大きな（表面積の広い）回収ローラ２６を設けることにより、回収ローラ２６のみを清掃すれば、圧接する他のクリーニングローラ対２５のクリーニングローラ２５ａ，２５ｂの清掃は不要となり、清掃期間を延長させ、清掃箇所を減らすことができる
この実施の形態では、ロール状の記録材料２及び受像材料３が供給部１０に装填され、搬送部２０にカッターユニット２１を配置しているが、カッターユニット２１を供給部１０に配置してもよく、また、シート状の記録材料２及び受像材料３を供給部１０に装填してもよい。


【手続補正７】
【補正対象書類名】明細書
【補正対象項目名】００４１
【補正方法】変更
【補正の内容】
【００４１】
回収ローラ２６は、一番粘着力の強い回収ローラ２６が圧接する上側のクリーニングローラ２５ａを、その表面に付着したゴミ、ほこり等の異物を吸い上げて清掃する。清掃されたクリーニングローラ対２５のクリーニングローラ２５ａは、ローラ間に材料がなければ下側のクリーニングローラ２５ｂの表面を清掃することが可能になる。つまり、ゴミ、ほこり等の異物は、クリーニングローラ対２５の下側のクリーニングローラ２５ｂから上側のクリーニングローラローラ２５ａへ、さらに回収ローラ２６の順で移動し、ゴミ、ほこり等の異物は回収ローラ２６に集められることが可能となる。


【手続補正８】
【補正対象書類名】明細書
【補正対象項目名】符号の説明
【補正方法】変更
【補正の内容】
【符号の説明】
１  画像記録装置
２  記録材料
３  受像材料
１０  供給部
２０  搬送部
２５  クリーニングローラ対
２６  回収ローラ
３０  画像記録部


【手続補正９】
【補正対象書類名】図面
【補正対象項目名】図１
【補正方法】変更
【補正の内容】
【図１】
2000127562.tif 000001